(57)【要約】      （修正有）【課題】一般の使用者でも組立し易い組立式傘骨組を提供する。【解決手段】傘骨組は、上ろくろ、位置決め部材、中ろくろ、スプリング、下ろくろ、複数の第１骨、第２骨及び第３骨からなり、前記上ろくろの外側に組立孔を有する組立部が設けられ、前記位置決め部材は上ろくろと接触して中棒に設けられ、前記中ろくろの外側に嵌合孔を有する組立溝が形成され、前記スプリングは中ろくろの下方における中棒に設けられ、前記下ろくろは、該スプリングの下方における中棒に設けられると共に、外側に嵌合ブロックを有する組立溝が形成され、下端に嵌合孔が形成されると共に、上端に位置決め溝が形成される。【選択図】図１
0003110995.tif 000002
【実用新案登録請求の範囲】
【請求項１】
中棒と、該中棒に組合わされる傘骨組を有し、該中棒の下端にハンドルと下はじきが設けられる組立式傘骨組であって、
前記傘骨組は、上ろくろ、位置決め部材、中ろくろ、スプリング、下ろくろ、複数の第１骨、第２骨及び第３骨からなり、前記上ろくろは中棒の上端に固設され、外側に組立部が設けられると共に、該組立部に第１骨を枢設するために組立孔が形成され、前記位置決め部材は上ろくろと接触して中棒に設けられ、前記中ろくろは上ろくろの下方における中棒に上下摺動自在に設けられると共に、外側に第２骨を枢設するために、両側に嵌合孔を有する組立溝が形成され、前記スプリングは中ろくろの下方における中棒に設けられ、前記下ろくろは、該スプリングの下方における中棒に上下摺動自在に設けられると共に、外側に第３骨を枢設するために嵌合ブロックを有する組立溝が形成され、前記下ろくろの下端に下はじきを嵌合するために嵌合孔が形成されると共に、上端にスプリングを設けるために位置決め溝が形成され、
前記第１骨の一端に上ろくろの組立孔に挿入するために組立端が設けられると共に、中段に第２骨を枢設するために枢設孔を有する枢設凸部が設けられ、他端に端部が設けられ、
前記第２骨は中ろくろと第１骨との間に設けられ、その両端に夫々枢設ブロックを有する第１枢設部と第２枢設部が設けられると共に、中段に連結ロッドを有する溝が形成され、
前記第３骨は下ろくろと第２骨との間に設けられ、その両端に前記組立溝の嵌合ブロックと連結する第１フックと、前記溝の連結ロッドと連結する第２フックが設けられることを特徴とする組立式傘骨組。
【請求項２】
前記第１フックと第２フックに位置決め縁が設けられることを特徴とする請求項１に記載の組立式傘骨組。
【請求項３】
前記第１骨は相互に組合わされる第１骨部材と第２骨部材からなり、該第１骨部材の一端に組立孔に挿入するために組立端が設けられると共に、他端に第２骨を枢設するために枢設孔を有する枢設凸部が設けられることを特徴とする請求項１又は２に記載の組立式傘骨組。
【考案の詳細な説明】
【技術分野】
【０００１】
本考案は、特に一般の使用者でも組立し易い組立式傘骨組に関するものである。
【背景技術】
【０００２】
従来の傘は、傘骨と生布からなるものであり、図５に示すように、従来の傘骨は、中棒（４０）と該中棒（４０）に組合わされる傘骨組（５０）とを備え、該中棒（４０）の下端にハンドルと下はじきが設けられ、該傘骨組（５０）は上ろくろ（５１）、中ろくろ（５２）、下ろくろ（５３）及び複数の第１骨（５４）、第２骨（５５）、第３骨（５６）からなり、該上ろくろ（５１）は第１骨（５４）を枢設するために中棒（４０）の上端にワイヤ（５７）で固設され、該中ろくろ（５２）は前記上ろくろ（５１）の下方における中棒（４０）に上下摺動自在に設けられ、該中ろくろ（５２）の外側と第１骨（５４）との間にワイヤ（５７）で第２骨（５５）が枢設され、該下ろくろ（５３）は前記中ろくろ（５５）の下方における中棒（４０）に上下摺動自在に設けられ、又、前記上ろくろ（５１）、中ろくろ（５２）及び下ろくろ（５３）の間にスプリング（５８）が設けられる。
【考案の開示】
【考案が解決しようとする課題】
【０００３】
しかしながら、前記従来の傘骨は以下に示すような欠点を有する。
１、従来の傘骨の第１骨、第２骨及び第３骨はワイヤにより夫々上ろくろ、中ろくろ及び下ろくろに枢設する必要があるので、組立てが非常に面倒である。
２、従来の傘骨の第１骨、第２骨及び第３骨はワイヤにより夫々上ろくろ、中ろくろ及び下ろくろに枢設することから、突出したワイヤで使用者を傷付ける恐れがあるので、安全性の問題があった。
３、ワイヤなどの部材は酸化を防止するために鍍金を行うが、該鍍金作業は環境を汚染する恐れがあった。
４、従来の傘骨は一部が折れた場合、該折れた部分を交換し難しいので、非常に面倒であった。
【０００４】
そこで、案出されたのが本考案であって、一般の使用者でも組立し易い組立式傘骨組を提供することを目的としている。
【課題を解決するための手段】
【０００５】
本願の請求項１の考案は、中棒と、該中棒に組合わされる傘骨組を有し、該中棒の下端にハンドルと下はじきが設けられる組立式傘骨組であって、
前記傘骨組は、上ろくろ、位置決め部材、中ろくろ、スプリング、下ろくろ、複数の第１骨、第２骨及び第３骨からなり、前記上ろくろは中棒の上端に固設され、外側に組立部が設けられると共に、該組立部に第１骨を枢設するために組立孔が形成され、前記位置決め部材は上ろくろと接触して中棒に設けられ、前記中ろくろは上ろくろの下方における中棒に上下摺動自在に設けられると共に、外側に第２骨を枢設するために、両側に嵌合孔を有する組立溝が形成され、前記スプリングは中ろくろの下方における中棒に設けられ、前記下ろくろは、該スプリングの下方における中棒に上下摺動自在に設けられると共に、外側に第３骨を枢設するために嵌合ブロックを有する組立溝が形成され、前記下ろくろの下端に下はじきを嵌合するために嵌合孔が形成されると共に、上端にスプリングを設けるために位置決め溝が形成され、
前記第１骨の一端に上ろくろの組立孔に挿入するために組立端が設けられると共に、中段に第２骨を枢設するために枢設孔を有する枢設凸部が設けられ、他端に端部が設けられ、
前記第２骨は中ろくろと第１骨との間に設けられ、その両端に夫々枢設ブロックを有する第１枢設部と第２枢設部が設けられると共に、中段に連結ロッドを有する溝が形成され、
前記第３骨は下ろくろと第２骨との間に設けられ、その両端に前記組立溝の嵌合ブロックと連結する第１フックと、前記溝の連結ロッドと連結する第２フックが設けられることを特徴とする組立式傘骨組、を提供する。
【０００６】
本願の請求項２の考案は、前記第１フックと第２フックに位置決め縁が設けられることを特徴とする請求項１に記載の組立式傘骨組、を提供する。
【０００７】
本願の請求項３の考案は、前記第１骨は相互に組合わされる第１骨部材と第２骨部材からなり、該第１骨部材の一端に組立孔に挿入するために組立端が設けられると共に、他端に第２骨を枢設するために枢設孔を有する枢設凸部が設けられることを特徴とする請求項１又は２に記載の組立式傘骨組、を提供する。
【考案の効果】
【０００８】
本考案は上記の課題を解決するものであり、組立式の第１骨、第２骨及び第３骨からなる傘骨組を採用することにより、一部の傘骨が折れても、該折れた部分だけを交換することができるので、非常に便利である。
【考案を実施するための最良の形態】
【０００９】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１０】
図１は本考案に係る組立式傘骨組の部分分解斜視図であり、図２は本考案に係る組立式傘骨組の部分斜視図であり、図３は図２の一部断面図であり、図４は本考案に係る組立式傘骨組の使用状態を示す平面図である。
【００１１】
図１、図２及び図４に示すように、本考案に係る組立式傘骨組は、中棒（１０）と該中棒（１０）に組合わされる傘骨組（２０）を有し、該中棒（１０）は所定の長さを有する又は伸縮可能のロッドであり、その下端にハンドル（１１）と下はじき（１２）が設けられる。
【００１２】
前記傘骨組（２０）は上ろくろ（２１）、位置決め部材（２２）、中ろくろ（２３）、スプリング（２４）、下ろくろ（２５）、複数の第１骨（２６）、第２骨（２７）及び第３骨（２８）からなる。
【００１３】
前記上ろくろ（２１）は中棒（１０）の上端に固設され、外側に組立部（２１１）が設けられると共に、該組立部（２１１）に第１骨（２６）を枢設するために組立孔（２１２）が形成される。
【００１４】
前記位置決め部材（２２）は上ろくろ（２１）と接触して中棒（１０）に設けられ、前記中ろくろ（２３）は上ろくろ（２１）の下方における中棒（１０）に上下摺動自在に設けられると共に、外側に第２骨（２７）を枢設するために、両側に嵌合孔（２３２）を有する組立溝（２３１）が形成され、前記スプリング（２４）は中ろくろ（２３）の下方における中棒（１０）に設けられる。
【００１５】
前記下ろくろ（２５）は、該スプリング（２４）の下方における中棒（１０）に上下摺動自在に設けられると共に、外側に第３骨（２８）を枢設するために嵌合ブロック（２５２）を有する組立溝（２５１）が形成される。又、前記下ろくろ（２５）の下端に下はじき（１２）を嵌合するために嵌合孔（２５３）が形成されると共に、上端にスプリング（２４）を設けるために位置決め溝（２５４）が形成される。
【００１６】
前記第１骨（２６）の一端が前記上ろくろ（２１）の組立孔（２１２）に挿入され、該第１骨（２６）は単一のロッドでもよく、又は相互に組合わされる第１骨部材（２６１）と第２骨部材（２６２）からなるものでもよく、該第１骨部材（２６１）の一端に組立孔（２１２）に挿入するために組立端（２６３）が設けられると共に、他端に第２骨（２７）を枢設するために枢設孔（２６５）を有する枢設凸部（２６４）が設けられ、又、該第２骨部材（２６２）の末端に端部（２６６）が設けられる。
【００１７】
図１及び図３に示すように、前記第２骨（２７）は中ろくろ（２３）と第１骨（２６）との間に設けられ、その両端に夫々枢設ブロック（２７３）（２７４）を有する第１枢設部（２７１）と第２枢設部（２７２）が設けられ、該第１枢設部（２７１）が中ろくろ（２３）の組立溝（２３１）に設けられることにより、嵌合孔（２３２）に枢設ブロック（２７３）を設け、又、第２枢設部（２７２）が第１骨部材（２６１）の枢設凸部（２６４）に設けられることにより、枢設孔（２６５）に枢設ブロック（２７４）を設け、又、第２骨（２７）に連結ロッド（２７６）を有する溝（２７５）が形成される。
【００１８】
前記第３骨（２８）は下ろくろ（２５）と第２骨（２７）との間に設けられ、その両端に前記組立溝（２５１）の嵌合ブロック（２５２）と連結する第１フック（２８１）と、前記溝（２７５）の連結ロッド（２７６）と連結する第２フック（２８２）が設けられ、又、該第１フック（２８１）と第２フック（２８２）に位置決め縁（２８３）が設けられることにより、第３骨（２８）と下とくろ（２５）と第２骨（２７）との結合効果を向上する。
【００１９】
又、図１、図２及び図４に示すように、本考案に係る組立式傘骨組は第１骨（２６）に生布（３０）を覆って使用する場合、中棒（１０）の下端における下はじき（１２）を押圧し、下ろくろ（２５）と中ろくろ（２３）を中棒に沿って上ろくろ（２１）へ移動し、第２骨（２７）が第１骨（２６）を展開すると共に、第３骨（２８）が第２骨（２７）を支持することにより、生布（３０）を展開させる。
【産業上の利用可能性】
【００２０】
本考案は上記の構成を有するので、組立式の第１骨、第２骨及び第３骨からなる傘骨組を採用することにより、一部の傘骨が折れても、該折れた部分だけを交換することができるので、非常に便利である。
【図面の簡単な説明】
【００２１】
【図１】本考案に係る組立式傘骨組の部分分解斜視図である。
【図２】本考案に係る組立式傘骨組の部分斜視図である。
【図３】図２の一部断面図である。
【図４】本考案に係る組立式傘骨組の使用状態を示す平面図である。
【図５】従来の傘骨組を示す平面図である。
【符号の説明】
【００２２】
１０        中棒
１１        ハンドル
１２        下はじき
２０        傘骨組
２１        上ろくろ
２１１      組立部
２１２      組立孔
２２        位置決め部材
２３        中ろくろ
２３１      組立溝
２３２      嵌合溝
２４        スプリング
２５        下ろくろ
２５１      組立溝
２５２      嵌合ブロック
２５３      嵌合孔
２５４      位置決め溝
２６        第１骨
２６１      第１骨部材
２６２      第２骨部材
２６３      組立端
２６４      枢設凸部
２６５      枢設孔
２６６      端部
２７        第２骨
２７１      第１枢設部
２７２      第２枢設部
２７３      枢設ブロック
２７４      枢設ブロック
２７５      溝
２７６      連結ロッド
２８        第３骨
２８１      第１フック
２８２      第２フック
２８３      位置決め縁
３０        生布
４０        中棒
５０        傘骨組
５１        上ろくろ
５２        中ろくろ
５３        下ろくろ
５４        第１骨
５５        第２骨
５６        第３骨
５７        ワイヤ
５８        スプリング
【図１】
0003110995.tif 000003
【図２】
0003110995.tif 000004
【図３】
0003110995.tif 000005
【図４】
0003110995.tif 000006
【図５】
0003110995.tif 000007